(57)【要約】【課題】インキ吸蔵体を外部より視認可能にしインキ色を識別できると共に、当接壁部との当接によりインキ吸蔵体の端面が潰れたとしても、外観を良好なものにする。【解決手段】軸筒２内にインキ吸蔵体３を収容する。軸筒２内のインキ吸蔵体３の前方及び後方に当接壁部４，５を設ける。当接壁部４，５により、インキ吸蔵体３の両端面を前後に挟持する。インキ吸蔵体３の一端部の径方向外方の軸筒２周壁を透明にする。インキ吸蔵体３の他端部の径方向外方の軸筒２周壁を不透明にする。透明側のインキ吸蔵体３の一端面と当接壁部４とが前後に接触する面積を、不透明側のインキ吸蔵体３の他端面と当接壁部５とが前後に接触する面積より大きく設定する。【選択図】  図２
2004330608.tif 000002
【特許請求の範囲】
【請求項１】
軸筒内にインキ吸蔵体を収容し、軸筒内のインキ吸蔵体の前方及び後方に当接壁部を設け、前記当接壁部により、前記インキ吸蔵体の両端面を前後に挟持してなる筆記具であって、インキ吸蔵体の一端部の径方向外方の軸筒周壁を透明にし、インキ吸蔵体の他端部の径方向外方の軸筒周壁を不透明にし、透明側のインキ吸蔵体の一端面と当接壁部とが前後に接触する面積を、不透明側のインキ吸蔵体の他端面と当接壁部とが前後に接触する面積より大きく設定したことを特徴とする筆記具。
【請求項２】
前記軸筒が前軸と該前軸と接続される後軸とからなり、前記前軸または後軸のいずれか一方を透明樹脂により形成し、他方を不透明樹脂により形成し、前記前軸及び後軸の内面に当接壁部を一体に形成した請求項１記載の筆記具。
【発明の詳細な説明】
【０００１】
【発明の属する技術分野】
本発明は、軸筒内にインキ吸蔵体（いわゆる中綿）を収容した筆記具に関する。本発明で、「前」とはペン先側を指し、「後」とはその反対側を指す。
【０００２】
【従来の技術】
従来、この種の筆記具において、例えば、特許文献１には、軸筒内にインキ貯蔵体（本願のインキ吸蔵体）を収容し、軸筒内に形成した突出部（本願の当接壁部）を前記インキ貯蔵体の前端面に当接させ、軸筒の後端に嵌着した尾栓の突起（本願の当接壁部）により前記インキ貯蔵体の後端面を押圧して、インキ貯蔵体が固定される構成が開示されている。
【０００３】
【特許文献１】
実公昭５６−３１４１１号公報
【０００４】
【発明が解決しようとする課題】
前記従来の筆記具は、インキ吸蔵体の長手寸法が、前側の当接壁部と後側の当接壁部との間の長手寸法よりも僅かに大きくなるよう設定されている。しかし、ばらつきにより、前記インキ吸蔵体の長手寸法が、前記前側と後側の当接壁部の間の長手寸法より過度に大きくなる場合がある。その場合、当接壁部がインキ吸蔵体の端面に食いついて、インキ吸蔵体の端面が大きく潰れてしまう。特に、軸筒全体を透明材料により構成し、内部のインキ吸蔵体を外部より視認して、インキ色を識別できるようにした場合、前記インキ吸蔵体の端面に潰れが生じると、筆記具の見栄えが悪くなり、商品価値が低下するおそれがある。
【０００５】
本発明は前記従来の問題点を解決するものであって、インキ吸蔵体を外部より視認可能にしインキ色を識別できると共に、インキ吸蔵体の端面が潰れたとしても、外観を良好なものにできる筆記具を提供しようとするものである。
【０００６】
【課題を解決するための手段】
〔１〕本発明は、軸筒２内にインキ吸蔵体３を収容し、軸筒２内のインキ吸蔵体３の前方及び後方に当接壁部４，５を設け、前記当接壁部４，５により、前記インキ吸蔵体３の両端面を前後に挟持してなる筆記具であって、インキ吸蔵体３の一端部の径方向外方の軸筒２周壁を透明にし、インキ吸蔵体３の他端部の径方向外方の軸筒２周壁を不透明にし、透明側のインキ吸蔵体３の一端面と当接壁部４とが前後に接触する面積を、不透明側のインキ吸蔵体３の他端面と当接壁部５とが前後に接触する面積より大きく設定したこと（請求項１）を要件とする。
【０００７】
前記請求項１の「インキ吸蔵体３の一端部の径方向外方の軸筒２周壁を透明にしたこと」により、透明側のインキ吸蔵体３の一端部が外部より視認可能となり、外部よりインキ色が識別できる。前記請求項１の「インキ吸蔵体３の他端部の径方向外方の軸筒２周壁を不透明にしたこと」により、不透明側のインキ吸蔵体３の他端部は、不透明の軸筒２周壁によって隠蔽され外部より視認されない。
【０００８】
また、前記請求項１の「透明側のインキ吸蔵体３の一端面と当接壁部４とが接触する横断面の面積Ｓ１を、不透明側のインキ吸蔵体３の他端面と当接壁部５とが接触する横断面の面積Ｓ２より大きく設定したこと（Ｓ１＞Ｓ２）」によって、製造ばらつきにより、インキ吸蔵体３の長手寸法が前側と後側の当接壁部４，５の間の長手寸法より過度に大きくなった場合、当接壁部５との接触面積の小さい不透明側のインキ吸蔵体３の端面が大きく潰れ、当接壁部４との接触面積の大きい透明側のインキ吸蔵体３の端面は殆ど潰れないため、筆記具の外観を良好に保つことができる。
【０００９】
〔２〕また、前記請求項１の筆記具において、前記軸筒２が前軸６と該前軸６と接続される後軸７とからなり、前記前軸６または後軸７のいずれか一方を透明樹脂により形成し、他方を不透明樹脂により形成し、前記前軸６及び後軸７の内面に当接壁部４，５を一体に形成すること（請求項２）が好ましい。それにより、透明な軸筒２周壁及び不透明な軸筒２周壁を容易に得ることができると共に、軸筒２内部に当接壁部４，５を設けるために部品点数を増加させない。
【００１０】
【発明の実施の形態】
本発明の実施の形態を図面に従って説明する。
【００１１】
図１乃至図４に本発明の第１実施例を示す。
【００１２】
本実施例は、前軸６と後軸７よりなる軸筒２と、前記軸筒２内に収容されるインキ吸蔵体３（例えば、繊維束加工体または多孔質体）と、前記インキ吸蔵体３の前端に突き刺し接続され且つ前記前軸６に保持されるペン先８とからなる。
【００１３】
前記ペン先８は、繊維束の樹脂加工体からなり、後部のインキ誘導部８１がインキ吸蔵体３の前端面に突き刺し接続される。
【００１４】
前記軸筒２は、先細円筒状の前軸６と、有底円筒状の後軸７とからなり、両者が螺合により接続される。
【００１５】
前記前軸６は、透明樹脂の射出成形により得られ、先細部６２と円筒部６３とが一体に連設されてなる。前記前軸６の先細部６２内面には、ペン先８が圧入保持される。また、前軸６の内周面（即ち円筒部６３内周面）には、軸方向に延びる複数本（ここでは８本）のリブ６１が等間隔に一体に形成される。そして、前記リブ６１の後端面が透明側の当接壁部４（前側の当接壁部）となる。また、前記前軸６の円筒部６３外周面の長手方向の中間位置には鍔部６４が一体に形成される。前記円筒部６３の鍔部６４後方部は、前軸６の前端開口部に挿入され、後軸７の前端開口部の内周面と着脱自在に螺着されると共に、前記鍔部６４が後軸７の前端に当接される。
【００１６】
前記後軸７は、不透明樹脂の射出成形により得られる。前記後軸７の底壁内面及び周壁後端部の内周面には、軸方向に延びる複数本（ここではと４本）のリブ７１が等間隔に一体に形成される。前記リブ７１は、大内径部７１ａと、その後方に一体に連設される小内径部７１ｂとからなる。前記大内径部７１ａがインキ吸蔵体３の後端部外周面を径方向に圧接保持し、前記小内径部７１ｂの前端面（即ち大内径部７１ａと小内径部７１ｂとの間の段部）が不透明側の当接壁部５（後側の当接壁部）となる。
【００１７】
インキ吸蔵体３の前端面は、前記透明側の当接壁部４と前後方向に当接し、インキ吸蔵体３の後端面は、前記不透明側の当接壁部５に前後方向に当接する。前記インキ吸蔵体３の長手寸法は、前記透明側の当接壁部４と不透明側の当接壁部５との間の長手寸法よりも大きく設定される。それにより、軸筒２内のインキ吸蔵体３は、前記透明側の当接壁部４と前記不透明側の当接壁部５とにより、前後方向に挟持される。
【００１８】
前記透明側のインキ吸蔵体３の前端面と当接壁部４とが前後に接触する面積Ｓ１（図３の点々部分の面積の総和）は、不透明側のインキ吸蔵体３の後端面と当接壁部５とが接触する面積Ｓ２（図４の点々部分の面積の総和）よりも大きく設定される。本実施例では、前記Ｓ１はＳ２のおよそ１．４５倍に設定される。
【００１９】
それにより、前記インキ吸蔵体３の長手寸法が、製造ばらつきにより、前記透明側の当接壁部４と不透明側の当接壁部５との間の長手寸法よりも過度に大きくなった場合、外部より視認できない不透明側のインキ吸蔵体３の端面が、当接壁部５の食いつきにより潰され、一方、外部より視認可能な透明側のインキ吸蔵体３の端面が、当接壁部４との当接によっても潰されず、その結果、筆記具の良好な外観が維持される。
【００２０】
また、本実施例では、ペン先８を備えた前軸６を透明樹脂により形成し、且つ、後軸７を不透明樹脂により形成することにより、前軸６がインキ色を発し、後軸７はインキ色を発しないため、ペン先８を備えた前軸６を、後軸７に比べて、際立たせることができ、より一層、特徴ある外観を呈した筆記具１となる。
【００２１】
図５に透明側の当接壁部の他の例（図３の変形例）を示す。
【００２２】
前軸６の内周面には、軸方向に延びる複数本（具体的には３本）のリブ６１が一体に形成される。さらに、前記各々のリブ６１は、径方向内方の端部より分岐する枝部６１ａが一体に連設され、横断面が略Ｙ字状または略Ｔ字状となる。前記枝部６１ａを備えたリブ６１の後端面がインキ吸蔵体３の前端面に当接し、それが、透明側の当接壁部４（前側の当接壁部）となる。透明側のインキ吸蔵体３の前端面と当接壁部４とが前後に接触する面積Ｓ１（図５の点々部分の面積の総和）は、不透明側のインキ吸蔵体３の後端面と当接壁部５とが前後に接触する面積Ｓ２（図４の点々部分の面積の総和）よりも大きく設定される。前記枝部６１ａによりインキ吸蔵体３の端面との接触面積を容易に大きく設定できる。本実施例では、前記Ｓ１はＳ２のおよそ３．２５倍に設定される。尚、他の構成は前記第１実施例と同様である。
【００２３】
尚、本発明は、前記実施例以外にも、インキ吸蔵体３の前端の径方向外方の軸筒２周壁を不透明にし、インキ吸蔵体３の後端の径方向外方の軸筒２周壁を透明にすることも可能である。
【００２４】
尚、本発明において、ペン先８は、インキ吸蔵体３の前端面に突き刺し接続されるインキ誘導部８１を備えるものであれば、これ以外にも、ボールペンチップやプラスチックペン体等、いずれであってもよい。また、本発明において、ペン先８は、少なくとも前軸６に取り付けられていればよいが、前軸６と後軸７の両方（即ち軸筒２の両端）に取り付け、両頭式筆記具とすることもできる。
【００２５】
【発明の効果】
請求項１の筆記具は、インキ吸蔵体を外部より視認可能にし、インキ色を識別できると共に、インキ吸蔵体の端面が潰れたとしても、外観を良好に保つことができる。
【００２６】
請求項２の筆記具は、透明な軸筒周壁及び不透明な軸筒周壁を容易に得ることができると共に、軸筒内部に当接壁部を設けるために部品点数を増加させることがない。
【図面の簡単な説明】
【図１】本発明の第１実施例を示す外観図である。
【図２】図１の縦断面図である。
【図３】図２のＡ−Ａ線拡大断面図である。
【図４】図２のＢ−Ｂ線拡大断面図である。
【図５】第２実施例の透明側の当接壁部を示す拡大断面図である。
【符号の説明】
１  筆記具
２  軸筒
３  インキ吸蔵体
４  透明側の当接壁部
５  不透明側の当接壁部
６  前軸
６１  リブ
６１ａ  膨出部
６２  先細部
６３  円筒部
６４  鍔部
７  後軸
７１  リブ
７１ａ  大内径部
７１ｂ  小内径部
８  ペン先
８１  インキ誘導部
Ｓ１  透明側の当接壁部の接触面積
Ｓ２  不透明側の当接壁部の接触面積
【図１】
2004330608.tif 000003
【図２】
2004330608.tif 000004
【図３】
2004330608.tif 000005
【図４】
2004330608.tif 000006
【図５】
2004330608.tif 000007